(57)【要約】      （修正有）【課題】円錐並びに円柱の容器に液体を注入し、其の容器の中心に設けられた軸の回転に従ってコマ周り回転を発生させ液体の重量に寄る重厚な動力を得ること。【解決手段】円錐槽１、円柱槽２、３、４を積層し中に液体を注入し重量を加えその槽の中心を貫くシャフト５に固定する。円柱槽２、３、４の周囲に設けられたラックギヤー９は発電機７、８のピニオンギヤー４０とけい合し回転し発電機７、８を駆動して発電するものである。市販されている電力３０に依って稼働するモーター２１の軸にあるＶプールー２２からＶベルト２３によって減速機１８の入力軸プーリー２０に伝導され、減速機１８の出力軸のプーリー１６からＶベルト１７により力が伝導され円錐槽１、円柱槽２、３、４はコマ回り回転する。【選択図】図１
2011085126.tif 000002
【特許請求の範囲】
【請求項１】
円錐、円柱型の槽を積層し中心に設置したシャフトで回転させ注入されている
液体の重量によって加速重力を得て使った電力を倍増させるものである
槽の周りのラックギヤーにけい合するピニオンラックギヤーを介して発電機を稼働させ発電するものである
槽内の液体の量、比重によって重力に依る回転推力は調整できる。
液体の重量を回転させて得た回転力により発電する液体の重量を動力源とする発電装置
【請求項２】
ラックギヤーにけい合するピニオンギヤーを持った発電機は希望の出力を発生出来且つ数台の設定が出来るものである
【発明の詳細な説明】
【発明の詳細なる説明】
【０００１】本発明は円錐並びに円柱の容器に液体を注入し、其の容器の中心に設けられた軸の回転に従ってコマ周り回転を発生させ液体の重量に寄る重厚な動力を得るもである。
槽の周りのラックギアーから、ピニオンギヤーを介して伝導された重みのある回転力に従って目標とする電力を発電機の装置に依って得るものである。
コマ回りに要した電力の数倍の電力を得られるものである。
目的とする電力は円柱槽の増減、液体の比重によって計画し設置する発電機で簡単に取得することの出来るものである。
１つのものを何％節約すると言う考えを、１つのものを何倍にもすると言う前進的な発想のもと発明された、液体の重量と其の回転力によって好きな種類の電気を発電できる、液体の重量を原動力とする発電装置。
【技術分野】
【０００２】液体の重量を回転して原動力とした発電技術であって液体の増減比重の変化によって簡単な調節の出来るもので、小さい力を大きくまとめＣｏ２削減に寄与するものである。
【背景技術】
【０００３】水力、火力、波力、風力、太陽光と色々の発電があるが莫大な資金を要する
【発明の解決しようとする課題】
【０００４】１つのものを何％節約すると言う考えを改め、１つのものを２倍、３倍と小さい力を繋ぎとめて大きな目標を達成しようとするものである。
【発明の解決しようとする手段】
【０００５】円錐形タンク、円柱形タンクを積層中心に設けられたシャフトを駆動する事により重厚なコマ回りの回転力を得ることが出来る
又余った電力は売却する
【発明を実施するための形態】
【０００６】一枚の基盤の上に強固な軸受けを設置し１本のシャフトを中心に積層された円錐、円柱のタンクを駆動装置によってコマ回転させるシャフトの上部は強固なサポート板で支持する
また円錐タンクの側面に接するサポートのベアリングを設けて、円滑な回転を得るものとする。
液体の重量が大きい程、強大な回転力、推進力を得ることが出来る
重量の増加で推力、回転力が大きくなっても回転がコマ回転であるから稼働電力は小さいもので十分である
円柱槽のラックギアーには好みの発電機を概ね設置できるものである
【実施例】
【０００７】以下に本発明の構成状況を図面を参照に説明する
ベース（２５）に強固な軸受け（４１）を設置し、円錐槽（１）、円柱槽（２）（３）（４）を積層し中心シャフト（５）を一端を（４１）の軸受けに先端をサポート板（１４）で支持し中心にベヤリング（６）を配し回転を円滑に行う。
円錐槽に設けられたＶプーリー（１５）は市販されている電力（３０）に依って稼働するモーター（２１）の軸にあるＶプールー（２２）からＶベルト（２３）によって減速機（１８）の入力軸プーリー（２０）に伝導され、減速機（１８）の出力軸のプーリー（１６）からＶベルト（１７）により力が伝導され円錐槽、円柱槽はコマ回り回転をするのである
円柱槽（２）に設けられている（４０）なるラックギアーにけい合する発電機（７（８）のピニオンラックギアー（９）（１０）が回転し発電機（７）（８）はそれぞれ発電し家庭（３６）で使用し余った電機（３９）は（３８）なる計器により電力会社に販売する
（３７）なる機器は電機の逆流を防止するものである【０００８】図１から図４において
【発明の効果】
【０００９】液体タンクをコマ回転させて電力源を発生させ自由に希望する種類の電気を発生させ、１なる電気量を数倍に利用できる効果があり、コマ回転により効果が大きくなっても負担が増加しないものである
【図面の簡単な説明】
【００１０】
【図１】この発明の平面図である。
【図２】この発明の正面図である。
【図３】この発明の側面図である。
【図４】この発明の電気系統図である。
【符号の説明】
【００１１】１．本発明の基本円錐槽を示す
２．基本槽（１）の上に積層する円柱槽
３．（２）の円柱槽の上に重ねる増力用の円柱槽
４．発生動力を増加させる必要のある時使用する円柱槽
５．円錐槽、円柱槽の中心を貫くシャフト、槽を固定する金具を備える
６．円錐回転を円滑に行うための保持ホルダーのベヤリング
７．目的とする電気を発電する発電機
８．（７）と全く同じもので対角線上に設ける、発生原動力によって増減する
９．（７）の発電機のピニオンラックギヤー（４０）なるラックギヤーとけい合する
１０．（８）の発電機のピニオンラックギヤー（４０）なるラックギヤーとけい合する
１１．円錐槽の外壁に接し振れを防止する保持ベヤリング
１２．発電機（７）の保持台
１３．発電機（８）の保持台
１４．保持ホルダーの保持部分
１５．円錐槽に設けられた回転用Ｖプーリー
１６．減速機（１８）の出力側Ｖプーリー
１７．Ｖプーリー（１５）と（１６）を継ぎ伝導するベルト
１８．減速機
１９．減速機（１８）の固定ボルト
２０．減速機（１８）の入力側プーリー
２１．ＡＣモーター
２２．ＡＣモーター（２１）のＶプーリー
２３．プーリー（２０）と（２２）を継ぐベルト
２４．サポート（１２）の固定ボルト
２５．本機の基盤ベース
２６．（１）に設けられた液体注入口
２７．（２）に設けられた液体注入口
２８．（３）に設けられた液体注入口
２９．（４）に設けられた液体注入口
３０．（２１）のＡＣモーターの電源
３１．本発明の動力源より発生する電気
３２．本発明の動力源より発生した電気
３３．本発明発電装置の保護カバー
３４．（３３）の止め金具
３５．買い取り電力の受電設備
３６．家庭個人の受電設備
３７．逆流しない様にする電気設備
３８．余剰電力を電気会社に販売するための計器
３９．電力会社を示す
４０．円柱槽の廻りに設けられたラックギヤー、ピニオンラックギヤー（９）（１０）とけい合する
４１．基盤（２５）に設けられた強固なベヤリング
５０．本発明の心臓部を構成する部分（３０）（３１）（３２）を除く各部分の総まとめを示す。
【図１】
2011085126.tif 000003
【図２】
2011085126.tif 000004
【図３】
2011085126.tif 000005
【図４】
2011085126.tif 000006